【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
第一の度数を有する第一のレンズと、
第二の度数を有し、該第一のレンズと同軸に配置された第二のレンズと、
該第一および第二のレンズの少なくとも一つと動作可能に協働する第一の位置移動可能な要素であって、該第一の位置移動可能な要素が、
該第一の位置移動可能な要素の可逆的運動に基づいて、光軸に沿って該第一および第二のレンズの少なくとも一つの面に加えられるベクトル力を規定するように構成されており、
該可逆的運動に応答して該第一のレンズの第一の面および該第二のレンズの第二の面の少なくとも一つの平坦な区域を画定するように構成されており、
該第一および第二の面が互いに対面し、
該第一および第二のレンズが該第一の位置移動可能な要素によって応力を加えられないとき、該第一および第二の面が光軸を中心とする区域で互いと接触し、
該平坦な区域が光軸を中心に対称であり、かつ
該可逆的運動に応答して該第一のレンズの第一の面および該第二のレンズの第二の面の該少なくとも一つの圧平の尺度を可逆的に変更するように構成されており、該平坦な区域の表面積が該可逆的運動の大きさに依存する、
第一の位置移動可能な要素と
を含む、光軸を有する可変焦点距離マクロレンズシステムであって、
該マクロレンズシステムの焦点距離が該可逆的運動に依存する、
可変焦点距離マクロレンズシステム。
【請求項２】
ベクトル力が第一および第二のレンズの少なくとも一つの面の周辺部分に加えられる、請求項1記載のシステム。
【請求項３】
外側シェルおよびその中の空洞を画定するハウジングユニットをさらに含み、第一および第二のレンズが該空洞中に配置され、第一の位置移動可能な要素の一部分が、光軸に沿って該空洞の内側で可逆的に移動するように寸法決定されている、請求項1記載のシステム。
【請求項４】
第一の位置移動可能な要素がピストンを含む、請求項3記載のシステム。
【請求項５】
空洞の表面が、第一の位置移動可能な要素を案内するように寸法決定されたねじを有する、請求項3記載のシステム。
【請求項６】
第一および第二の面の少なくとも一つが、無応力状態で、光軸を中心とする扁長非球面を含む、請求項1記載のシステム。
【請求項７】
前記可逆的運動の結果として第一および第二の面の少なくとも一つの周辺区域に加えられる非ゼロ力に応答して該第一および第二の面を互いに相互作用させて、互いを相互に平坦化させて、光軸を中心にしたそれぞれの平坦化区域を画定するように構成されており、該平坦化区域それぞれの直径が該非ゼロ力の増大とともに漸増する、請求項1記載のシステム。
【請求項８】
第一および第二のレンズと同軸に配置され、かつ該第二のレンズによって該第一のレンズから切り離された第三のレンズをさらに含み、該第三のレンズが、光軸を中心とする扁長非球面を有する、請求項1記載のシステム。
【請求項９】
二つのレンズ群であって、第一および第二の群が間隙によって互いから切り離されており、該第一の群が第一および第二のレンズを含み、該第二の群が第三のレンズを含む、二つのレンズ群を含み、
該第二の群と動作可能に協働する第二の位置移動可能な要素であって、該第二の位置移動可能な要素の可逆運動に応答して該第三のレンズの面の曲率を変化させるように構成されている、第二の位置移動可能な要素をさらに含む、
請求項8記載のシステム。
【請求項１０】
第一のレンズ群の焦点と第二のレンズ群の焦点とが一致する、請求項9記載のシステム。
【請求項１１】
第一のレンズ群がプラスの度数を有し、第二のレンズ群がマイナスの度数を有する、請求項9記載のシステム。
【請求項１２】
第一および第二のレンズ群それぞれが、対応するプラスの度数を有する、請求項9記載のシステム。
【請求項１３】
第二のレンズ群が、第三のレンズの屈折率よりも高い屈折率を有する流体に浸漬されている、請求項12記載のシステム。
【請求項１４】
請求項9記載のマクロレンズシステムと、第一のレンズ群と光学的に連絡し、かつ第二のレンズ群によって該第一のレンズ群から切り離された光学検出器とを含む、光学カメラ。
【請求項１５】
第一の度数を有する第一のレンズと、
第二の度数を有し、該第一のレンズと同軸に配置された第二のレンズと、
該第一および第二のレンズの少なくとも一つと動作可能に協働する第一の位置移動可能な要素であって、該第一の位置移動可能な要素の可逆的運動に応答して該第一のレンズの第一の面および該第二のレンズの第二の面の少なくとも一つの圧平の尺度を可逆的に変更するように構成されており、該第一および第二の面が互いに対面する、第一の位置移動可能な要素と
を含む、光軸を有する可変焦点距離マクロレンズシステムであって、
該マクロレンズシステムの焦点距離が該第一の位置移動可能な要素の該可逆的運動に依存し、
該マクロレンズシステムが、該可逆的運動の結果として該第一および第二の面の少なくとも一つの周辺区域に加えられる非ゼロ力に応答して該第一および第二の面を互いに相互作用させて、互いを相互に平坦化させて、光軸を中心にしたそれぞれの平坦化区域を画定するように構成されており、該平坦化区域それぞれの直径が該非ゼロ力の増大とともに漸増する、
可変焦点距離マクロレンズシステム。
【請求項１６】
第一および第二のレンズが第一の位置移動可能な要素によって応力を加えられないとき、第一および第二の面が、光軸を中心とする区域で互いと接触する、請求項15記載のシステム。
【請求項１７】
第一および第二のレンズと同軸に配置され、かつ該第二のレンズによって該第一のレンズから切り離された第三のレンズをさらに含み、該第三のレンズが、光軸を中心とする扁長非球面を有する、請求項16記載のシステム。
【請求項１８】
二つのレンズ群であって、第一および第二の群が間隙によって互いから切り離されており、該第一の群が第一および第二のレンズを含み、該第二の群が第三のレンズを含む、二つのレンズ群を含み、
該第二の群と動作可能に協働する第二の位置移動可能な要素であって、該第二の位置移動可能な要素の可逆運動に応答して該第三のレンズの面の曲率を変化させるように構成されている、第二の位置移動可能な要素をさらに含む、
請求項16記載のシステム。
【請求項１９】
第一のレンズ群の焦点と第二のレンズ群の焦点とが一致する、請求項18記載のシステム。
【請求項２０】
第一のレンズ群がプラスの度数を有し、第二のレンズ群がマイナスの度数を有する、請求項18記載のシステム。
【請求項２１】
第一および第二のレンズ群それぞれが、対応するプラスの度数を有する、請求項18記載のシステム。
【請求項２２】
第二のレンズ群が、第三のレンズの屈折率よりも高い屈折率を有する流体に浸漬されている、請求項21記載のシステム。
【請求項２３】
請求項15記載のマクロレンズシステムと、第一のレンズ群と光学的に連絡し、かつ第二のレンズ群によって該第一のレンズ群から切り離された光学検出器とを含む、システム。
【請求項２４】
第一の度数を有する第一のレンズと、
第二の度数を有し、該第一のレンズと同軸に配置された第二のレンズと、
該第一および第二のレンズと同軸に配置され、かつ該第二のレンズによって該第一のレンズから切り離された第三のレンズであって、該第三のレンズが、光軸を中心とする扁長非球面を有し、
可変焦点距離マクロレンズシステムが二つのレンズ群を含み、第一および第二の群が間隙によって互いから切り離されており、該第一の群が該第一および第二のレンズを含み、該第二の群が該第三のレンズを含む、
第三のレンズと、
該第一および第二のレンズの少なくとも一つと動作可能に協働する第一の位置移動可能な要素であって、該第一の位置移動可能な要素の可逆的運動に応答して該第一のレンズの第一の面および該第二のレンズの第二の面の少なくとも一つの圧平の尺度を可逆的に変更するように構成されており、該第一および第二の面が互いに対面し、
該マクロレンズシステムの焦点距離が該第一の位置移動可能な要素の該可逆的運動に依存し、
該第一および第二のレンズが該第一の位置移動可能な要素によって応力を加えられないとき、該第一および第二の面が、光軸を中心とする区域で互いと接触する、
第一の位置移動可能な要素と、
該第二の群と動作可能に協働する第二の位置移動可能な要素であって、該第二の位置移動可能な要素の可逆運動に応答して該第三のレンズの面の曲率を変化させるように構成されている、第二の位置移動可能な要素と
を含む、光軸を有する可変焦点距離マクロレンズシステム。
【請求項２５】
第一のレンズ群の焦点と第二のレンズ群の焦点とが一致する、請求項24記載のシステム。
【請求項２６】
第一のレンズ群がプラスの度数を有し、第二のレンズ群がマイナスの度数を有する、請求項24記載のシステム。
【請求項２７】
第一および第二のレンズ群それぞれが、対応するプラスの度数を有する、請求項24記載のシステム。
【請求項２８】
第二のレンズ群が、第三のレンズの屈折率よりも高い屈折率を有する流体に浸漬されている、請求項27記載のシステム。
【請求項２９】
請求項24記載のマクロレンズシステムと、第一のレンズ群と光学的に連絡し、かつ第二のレンズ群によって該第一のレンズ群から切り離された光学検出器とを含む、光学カメラ。
【手続補正２】
【補正対象書類名】明細書
【補正対象項目名】０００６
【補正方法】変更
【補正の内容】
【０００６】
本発明の態様はさらに、（i）上記のようなマクロレンズシステムと、第一のレンズ群と光学的に連絡し、第二のレンズ群によって第一のレンズ群から切り離された光学検出器とを含む光学カメラ、および（ii）マクロレンズを作動させる方法を提供する。
[本発明1001]
第一の度数を有する第一のレンズと、
第二の度数を有し、該第一のレンズと同軸に配置された第二のレンズと、
該第一および第二のレンズの少なくとも一つと動作可能に協働する第一の位置移動可能な要素であって、該第一の位置移動可能な要素の可逆的運動に応答して該第一のレンズの第一の面および該第二のレンズの第二の面の少なくとも一つの圧平の尺度を可逆的に変更するように構成されており、該第一および第二の面が互いに対面する、第一の位置移動可能な要素と
を含む、光軸を有する可変焦点距離マクロレンズシステムであって、
該マクロレンズシステムの焦点距離が該第一の位置移動可能な要素の該可逆的運動に依存する、
可変焦点距離マクロレンズシステム。
[本発明1002]
第一および第二のレンズが第一の位置移動可能な要素によって応力を加えられないとき、第一および第二の面が、光軸を中心とする区域で互いと接触する、本発明1001のシステム。
[本発明1003]
第一の位置移動可能な要素が、前記可逆的運動に基づいて、光軸に沿って第一および第二のレンズの少なくとも一つの面に加えられるベクトル力を規定するように構成されており、該第一および第二のレンズの軸方向位置が該可逆的運動に依存しない、本発明1001のシステム。
[本発明1004]
第一の位置移動可能な要素が、第一および第二の面の少なくとも一つの平坦な区域を画定するように構成されており、該平坦な区域が光軸を中心に対称であり、該平坦な区域の表面積が前記可逆的運動の大きさに依存する、本発明1003のシステム。
[本発明1005]
ベクトル力が第一および第二のレンズの少なくとも一つの面の周辺部分に加えられる、本発明1002のシステム。
[本発明1006]
外側シェルおよびその中の空洞を画定するハウジングユニットをさらに含み、第一および第二のレンズが該空洞中に配置され、第一の位置移動可能な要素の一部分が、光軸に沿って該空洞の内側で可逆的に移動するように寸法決定されている、本発明1001のシステム。
[本発明1007]
第一の位置移動可能な要素がピストンを含む、本発明1006のシステム。
[本発明1008]
空洞の表面が、第一の位置移動可能な要素を案内するように寸法決定されたねじを有する、本発明1006のシステム。
[本発明1009]
第一および第二の面の少なくとも一つが、無応力状態で、光軸を中心とする扁長非球面を含む、本発明1001のシステム。
[本発明1010]
第一および第二の面の少なくとも一つが、該第一および第二の面の該少なくとも一つに向かって起こる可逆的運動に応答して平坦な区域の直径が増大する過程で、該第一および第二の面の該少なくとも一つの形状の変化によって生じるシステムの光学収差が最小化されるように成形されている、本発明1001のシステム。
[本発明1011]
前記可逆的運動の結果として第一および第二の面の少なくとも一つの周辺区域に加えられる非ゼロ力に応答して該第一および第二の面を互いに相互作用させて、互いを相互に平坦化させて、光軸を中心にしたそれぞれの平坦化区域を画定するように構成されており、該平坦化区域それぞれの直径が該非ゼロ力の増大とともに漸増する、本発明1001のシステム。
[本発明1012]
第一および第二のレンズと同軸に配置され、かつ該第二のレンズによって該第一のレンズから切り離された第三のレンズをさらに含み、該第三のレンズが、光軸を中心とする扁長非球面を有する、本発明1001のシステム。
[本発明1013]
二つのレンズ群であって、第一および第二の群が間隙によって互いから切り離されており、該第一の群が第一および第二のレンズを含み、該第二の群が第三のレンズを含む、二つのレンズ群を含み、
該第二の群と動作可能に協働する第二の位置移動可能な要素であって、該第二の位置移動可能な要素の可逆運動に応答して該第三のレンズの面の曲率を変化させるように構成されている、第二の位置移動可能な要素をさらに含む、
本発明1012のシステム。
[本発明1014]
第一のレンズ群の焦点と第二のレンズ群の焦点とが一致する、本発明1013のシステム。
[本発明1015]
第一のレンズ群がプラスの度数を有し、第二のレンズ群がマイナスの度数を有する、本発明1013のシステム。
[本発明1016]
第一および第二のレンズ群それぞれが、対応するプラスの度数を有する、本発明1013のシステム。
[本発明1017]
第二のレンズ群が、第三のレンズの屈折率よりも高い屈折率を有する流体に浸漬されている、本発明1016のシステム。
[本発明1018]
本発明1013のマクロレンズシステムと、第一のレンズ群と光学的に連絡し、かつ第二のレンズ群によって該第一のレンズ群から切り離された光学検出器とを含む、光学カメラ。
[本発明1019]
光軸と第一および第二の構成レンズとを有するマクロレンズを作動させる方法であって、
第一の像を形成するために、該マクロレンズの前面に入射した光を、光軸を中心とする第一の接触区域で互いと接触する該マクロレンズの二つの面に透過させる工程であって、該第一の接触区域が第一の表面積を有する、工程；および
該二つの面の第一面と第二の面との間に第二の接触区域を形成するために、該二つの面の第一の面を該二つの面の第二の面に対して該光軸に沿う第一の方向に軸方向に位置移動する工程であって、該第二の接触区域が第二の表面積を有し、該第一の表面積と該第二の表面積とが互いに異なる、工程
を含む、方法。
[本発明1020]
軸方向に位置移動する工程が、第一および第二の構成レンズそれぞれの軸方向位置を維持する工程を含む、本発明1019の方法。
[本発明1021]
二つの面の第一面と第二の面との間に第三の接触区域を形成するために、該二つの面の第一の面を該二つの面の第二の面に対して光軸に沿う第二の方向に軸方向に位置移動する工程をさらに含み、該第三の接触区域が第三の表面積を有し、該第二の方向が前記第一の方向とは反対である、本発明1019の方法。
[本発明1022]
第二の方向に軸方向に位置移動する工程が、第一の表面積に等しい第三の表面積を形成する工程を含む、本発明1021の方法。
[本発明1023]
マクロレンズに対して外部にある要素からの機械的エネルギーを二つのレンズの少なくとも一つに伝達する工程をさらに含む、本発明1019の方法。
[本発明1024]
第二の像を形成するために、前記光を、第二の接触区域を有するマクロレンズに透過させる工程をさらに含む、本発明1019の方法。
[本発明1025]
軸方向位置移動の結果として、二つの面の第一および第二の面の少なくとも一つの円錐定数の値を変化させる工程をさらに含む、本発明1019の方法。
[本発明1026]
二つの面の第一および第二の面の少なくとも一つの曲率を変化させる工程をさらに含む、本発明1019の方法。
[本発明1027]
軸方向に位置移動する工程が、第二の表面積を第一の表面積よりも大きくするために、二つの面の一つによって光軸に沿って該二つの面のもう一つの面に加えられるベクトル力を増大させる工程を含む、本発明1019の方法。
[本発明1028]
軸方向に位置移動する工程が、平坦な面を有するように第二の接触区域を画定するために、二つの面の第一および第二の面の少なくとも一つの頂点の面を平坦化させる工程を含む、本発明1019の方法。
[本発明1029]
二つの面の第一および第二の面の頂点間の接触を形成することによって第一の接触区域を画定する工程をさらに含み、該二つの面の第一の面の頂点が扁長非球面の頂点である、本発明1019の方法。
[本発明1030]
軸方向位置移動の結果としてマクロレンズの実効焦点距離を変化させる工程をさらに含む、本発明1019の方法。
[本発明1031]
光を、第一および第二のレンズと同軸に配置され、かつ間隙によって該第一および第二のレンズから切り離されている第三のレンズの面に透過させる工程、および
該第三のレンズの該面の、光軸に関して対称である一部分を平坦化させる工程
をさらに含む、本発明1019の方法。